(57)【要約】      （修正有）【課題】身体のバランス機能ないし運動機能を鍛えることができるバランス訓練装置を提供する。【解決手段】バランス訓練装置は、弾性を有する圧縮変形可能なものであって、上下２面を有し、前記下面でほぼ平面の載置面に穏やかに置かれる台座１０と、前記台座の前記上面から立ち上がるように設けられている支持架２０と、前記支持架によって前記上面の上方に保持され、使用者が着座することができる腰掛け台５０とを備えている。【選択図】図１
0003102908.tif 000002
【実用新案登録請求の範囲】
【請求項１】
弾性を有する圧縮変形可能なものであって、上下２面を有し、前記下面でほぼ平面の載置面に穏やかに置かれることができる台座と、
前記台座の前記上面から立ち上がるように設けられている支持架と、
前記支持架によって前記上面の上方に保持され、使用者が着座することができる腰掛け台と
を具備することを特徴とするバランス訓練装置。
【請求項２】
前記腰掛け台は、前後両サイドを有するサドルを備え、
前記台座は、前記サドルを基準として前後両方を有し、
前記支持架の前方には、使用者の足を載せるための足掛けが設けられていることを特徴とする請求項１に記載のバランス訓練装置。
【請求項３】
前記支持架の前記サドルの左右両側には、それぞれ前記使用者に握られるハンドルが設けられていることを特徴とする請求項２に記載のバランス訓練装置。
【請求項４】
前記台座の前端部の左右両側近くには、それぞれその一端が固定され、他端が前記サドルに腰掛ける使用者の手に握られる長尺状の把持ユニットが設けられていることを特徴とする請求項２もしくは請求項３に記載のバランス訓練装置。
【請求項５】
前記台座の前記下面には、それぞれ前方へ突出された少なくとも左右２つの長尺状の梁部材が設けられ、
前記台座の前端部の左右両側近くにそれぞれ設けられている把持ユニットは、伸縮性ベルトを備え、
前記伸縮性ベルトの一端部は、それと対応する梁部材の前記下面から突出している部分に引っ掛けられており、他端部は前記サドルに腰掛ける使用者の手に握られる取っ手となされていることを特徴とする請求項４に記載のバランス訓練装置。
【請求項６】
前記台座の前記上面のサイズは、前記下面より大であり、
前記足掛けは、前記支持架の付け根から前方へ立ち上がって前記上面外に延出されていることを特徴とする請求項２に記載のバランス訓練装置。
【請求項７】
前記台座は、上下２つの平板と、前記２つの平板の間に挟まれている弾性ユニットとを備え、
前記弾性ユニットは、クッション体と、前記クッション体内に内蔵された複数のコイルバネとを備えていることを特徴とする請求項１もしくは請求項６に記載のバランス訓練装置。
【考案の詳細な説明】
【技術分野】
【０００１】
本考案は、バランス訓練装置に関し、特に身体のバランス機能および運動機能を訓練するバランス訓練装置に関する。
【背景技術】
【０００２】
従来から、身体を鍛えるトレーニング用器具が多種多様あり、例えばランニングマシン、サイクリングマシン、エキスパンダー、ダンベル、ハンドグリップなどが挙げられる。
【考案の開示】
【考案が解決しようとする課題】
【０００３】
しかしながら、これらのトレーニング用器具は、いずれも筋力を鍛えるためのものであり、身体のバランス機能を鍛えるためのトレーニング用器具が殆ど市販されていない。
【０００４】
上記に鑑みて、本考案の目的は、身体のバランス機能ないし運動機能を鍛えることができるバランス訓練装置を提供しようとすることにある。
【課題を解決するための手段】
【０００５】
前記目的を達成するために、考案者が考案したバランス訓練装置は、弾性を有する圧縮変形可能なものであって、上下２面を有し、前記下面でほぼ平面の載置面に穏やかに置かれることができる台座と、前記台座の前記上面から立ち上がるように設けられている支持架と、前記支持架によって前記上面の上方に保持され、使用者が着座することができる腰掛け台とを備えていることを特徴とする。
【考案の効果】
【０００６】
この構成によるバランス訓練装置は、前記台座が弾性のある圧縮変形可能なものであるので、使用者が前記腰掛け台上に着座したまま、身体の重心の前後左右の移動と前記移動による前記台座の圧縮変形との間のバランスを取りながら、３６０度の揺動運動をして身体のバランス機能ないし運動機能を訓練することができる。
【考案を実施するための最良の形態】
【０００７】
以下、図１ないし図１１を参照しながらこの考案を実施するための最良の形態（以下、実施の形態という）について説明する。
【０００８】
この実施の形態に係るバランス訓練装置は、主として弾性を有する圧縮変形可能なものである。図１および図２に示すように、バランス訓練装置は、台座１０と、支持架２０と、腰掛け台５０とを備えている。台座１０は、上下２面を有し、下面でほぼ平面の載置面（例えば床面）に穏やかに置かれる。支持架２０は、台座１０の上面から立ち上がるように設けられている。腰掛け台５０は、支持架２０によって上面の上方に保持され、使用者が着座することができる。
【０００９】
詳しく説明すると、台座１０は、互いに対面している下平板１１および上平板１２と、これら下平板１１および上平板１２の間に挟まれている弾性ユニット１３とを備えている。下平板１１および上平板１２は、硬質で長方形を有する。また、上平板１２のサイズは、下平板１１のそれよりも大である。
【００１０】
図３に示すように、弾性ユニット１３は、クッション体１３２と、このクッション体１３２内に内蔵された複数のコイルバネ１３１とを備えている。本実施の形態では、クッション体１３２としてスポンジ体が使用されている。
【００１１】
腰掛け台５０は、前後両サイド５１，５２を有するサドルである。台座１０は、サドル５０（の前後両サイド５１，５２）を基準として前後両方を備えている。
【００１２】
支持架２０は、長方形の前フレーム２１と、後フレーム２２とを備えている。前フレーム２１は、その上縁でサドル５０を下から保持し、前方かつ下方へ延び、台座１０の上平板１２の上面の前端部１４で例えばネジの締付けにより固定されている。後フレーム２２は、前フレーム２１の上縁から後方かつ下方へ延び、台座１０の上平板１２の上面の後端部１５で例えばネジの締付けにより固定されている。
【００１３】
また、支持架２０の前方には、使用者が使用時に足を載せるための足掛け２３が設けられている。この足掛け２３は、支持架２０の前フレーム２１の付け根２１１から前方へ立ち上げられて台座１０の上平面１２の外側まで延出されている。図１に示すように、足掛け２３は、付け根２１１の略中間部から前方へ立ち上げられた縦バー２３１と、この縦バー２３１上に設けられ、互いに平行に所定隙間を開けられてそれぞれ左右方向に延びた２対の横バー２３２，２３２とを備えている。
【００１４】
そして、支持架２０のサドル５０の左右両側には、それぞれ使用者に握られるハンドル２４，２４が設けられている。
【００１５】
図２および図３に示すように、台座１０の前端部１４の左右両側近くには、それぞれその一端４２が固定され、他端４３がサドル５０に腰掛けた使用者の手に握られる長尺状の把持ユニット４０，４０が設けられている。詳細に説明すると、図４に示すように、台座１０の下平板１１の下面には、４つの長尺状の梁部材３１が互いに対称的かつ放射状に設けられている。これら４つの梁部材３１のうちの２つの梁部材３１は、前方へ突出され、他の２つの梁部材３１は後方へ突出されている。図２および図３に示すように、４つの梁部材３１の台座１０の下面から突出している部分には、それぞれリング３２が設けられている。
【００１６】
台座１０の前端部１４の左右両側近くにそれぞれ設けられている把持ユニット４０，４０は、本実施の形態においては伸縮性ベルトである。伸縮性ベルトの一端部（下端部）４２は、それと対応する梁部材３１のリング３２に引っ掛けられている。伸縮性ベルトの他端部（上端部）４３は、サドル５０に腰掛ける使用者の手に握られる取っ手として形成されている。
【００１７】
次に、このような構成を有するバランス訓練装置の作用について説明する。
【００１８】
使用者が腰掛け台５０上に着座して両足を足掛け２３の２対の横バー２３２，２３２に載せる。両手でそれぞれ腰掛け台５０の左右両側にある２つのハンドル２４を握る。その後、図５ないし図８に示すように、身体の重心を前後左右に移動させる。このような移動による台座１０の弾性ユニット１３の圧縮変形との間のバランスを取りながら、３６０度の揺動運動をして身体のバランス機能ないし運動機能を訓練する。
【００１９】
また、図９および図１０に示すように、両手でハンドル２４を握らず、２つの長尺の把持ユニット４０，４０の他端部４３の取っ手を握った状態で３６０度の揺動運動をしてもよい。また、図１１に示すように、ハンドル２４も把持ユニット４０も握らず、両手を上げて３６０度の揺動運動をしてもよい。
【００２０】
以上説明したように、この実施の形態によれば、以下の効果が得られる。
【００２１】
バランス訓練装置は、台座１０が弾性を有する圧縮変形可能なものであるので、使用者が腰掛け台５０上に着座したまま、図５ないし図１１のような姿勢で、身体の重心の前後左右の移動と、このような移動による台座１０の圧縮変形との間のバランスを取りながら、３６０度の揺動運動をして身体のバランス機能ないし運動機能を訓練することができる。
【００２２】
以上説明した実施の形態は、あくまでも本考案の技術的内容を明らかにする意図のものにおいてなされたものであり、本考案はそうした具体例に限定して狭義に解釈されるものではなく、本考案の精神とクレームに述べられた範囲で、色々と変更して実施できるものである。
【００２３】
例えば、上記実施形態において、台座１０の下平板１１の下面には、４つの長尺状の梁部材３１が設けられているが、それに限らず、前後端部が前記下面から突出している２つの平行の梁部材だけが設けられていてもよい。また、後端部が突出していなくてもよい。すなわち、それぞれ前方へ突出している少なくとも左右２つの長尺状の梁部材が設けてあることで十分である。また、把持ユニット４０は、伸縮性を有していないものの長さの調整可能なものが使用されてもよい。
【図面の簡単な説明】
【００２４】
【図１】一実施の形態に係るバランス訓練装置の分解斜視図。
【図２】一実施の形態に係るバランス訓練装置の斜視図。
【図３】一実施の形態に係るバランス訓練装置の側断面図。
【図４】一実施の形態に係るバランス訓練装置の下面図。
【図５】一実施の形態に係るバランス訓練装置の使用者が腰掛け台の左右両側のハンドルを握って前方に揺動運動する状態を示す概略図。
【図６】一実施の形態に係るバランス訓練装置の使用者が腰掛け台の左右両側のハンドルを握って後方に揺動運動する状態を示す概略図。
【図７】一実施の形態に係るバランス訓練装置の使用者が腰掛け台の左右両側のハンドルを握って左方に揺動運動する状態を示す概略図。
【図８】一実施の形態に係るバランス訓練装置の使用者が腰掛け台の左右両側のハンドルを握って右方に揺動運動する状態を示す概略図。
【図９】一実施の形態に係るバランス訓練装置の使用者が台座の前端部の左右両側にある２の把持ユニットを握って前方に揺動運動する状態を示す概略図。
【図１０】一実施の形態に係るバランス訓練装置の使用者が台座の前端部の左右両側にある２の把持ユニットを握って後方に揺動運動する状態を示す概略図。
【図１１】一実施の形態に係るバランス訓練装置の使用者が揺動運動する状態を示す概略図。
【符号の説明】
【００２５】
１０…台座、１１，１２…上下２つの平板（上平板、下平板）、１３…弾性ユニット、１３１…コイルバネ、１３２…クッション台、１４，１５…前後端部、２０…支持架、２１…前フレーム、２１１…付け根、２２…後フレーム、２３…足掛け、２３１…縦バー、２３２…横バー、２４…ハンドル、３１…梁部材、３２…リング、４０…把持ユニット、４２，４３…両端部、５０…腰掛け台（サドル）、５１，５２…前後両サイド
【図１】
0003102908.tif 000003
【図２】
0003102908.tif 000004
【図３】
0003102908.tif 000005
【図４】
0003102908.tif 000006
【図５】
0003102908.tif 000007
【図６】
0003102908.tif 000008
【図７】
0003102908.tif 000009
【図８】
0003102908.tif 000010
【図９】
0003102908.tif 000011
【図１０】
0003102908.tif 000012
【図１１】
0003102908.tif 000013